(57)【特許請求の範囲】
【請求項１】
生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段とを有する送信装置から送信された、前記主情報および前記制御情報を受信する受信手段と、
前記受信手段によって受信された前記主情報および前記制御情報を蓄積する蓄積手段と、
前記蓄積手段によって蓄積された前記制御情報を読み出す読み出し手段と、
前記読み出し手段によって読み出された前記制御情報から、対応するコンテンツをそのまま見せるか否かを判断する判断手段と、
前記判断手段によって対応するコンテンツをそのまま見せると判断された場合には、前記読み出し手段により読み出された前記制御情報に対応する前記第１の番組のコンテンツを前記蓄積手段から読み出して出力し、対応するコンテンツをそのまま見せないと判断された場合には、前記蓄積手段から以前に蓄積された前記第１の番組のコンテンツを読み出し、前記読み出し手段により読み出された前記第２の番組のコンテンツに対応する前記制御情報に基づいて、読み出した前記第１の番組のコンテンツを加工して、前記第２の番組のコンテンツの放送時間中、出力する出力手段と
を備える受信装置。
【請求項２】
前記制御情報には、前記対応するコンテンツが放送プログラムの何番目のコンテンツであるかを表す識別情報、および、前記対応するコンテンツの描画モードを表す情報が含まれている
請求項１に記載の受信装置。
【請求項３】
前記蓄積手段は、前記受信手段によって受信された前記制御情報を、前回受信された制御情報に連鎖した形式で蓄積する
請求項１に記載の受信装置。
【請求項４】
生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段とを有する送信装置から送信された、前記主情報および前記制御情報を受信し、
受信した前記主情報および前記制御情報を蓄積手段に蓄積し、
蓄積した前記制御情報を読み出し、
読み出した前記制御情報から、対応するコンテンツをそのまま見せるか否かを判断し、
対応するコンテンツをそのまま見せると判断した場合には、読み出した前記制御情報に対応する前記第１の番組のコンテンツを前記蓄積手段から読み出して出力し、対応するコンテンツをそのまま見せないと判断した場合には、前記蓄積手段から以前に蓄積された前記第１の番組のコンテンツを読み出し、読み出した前記第２の番組のコンテンツに対応する前記制御情報に基づいて、読み出した前記第１の番組のコンテンツを加工して、前記第２の番組のコンテンツの放送時間中、出力する
ステップを含む受信方法。
【請求項５】
生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために受信装置において用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、
前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段と
を備え、
前記主情報の一部である前記第２の番組のコンテンツがすでに送信されている場合に送信される、前記第２の番組のコンテンツに対応する前記制御情報には、既に受信し、蓄積している前記第１の番組のコンテンツを加工するのに用いられる情報が含まれており、前記受信装置においては、前記第２の番組のコンテンツの放送時間中、既に受信し、蓄積している前記第１の番組のコンテンツを前記第２の番組のコンテンツに対応する前記制御情報に基づいて加工して得られる他のコンテンツが出力される
送信装置。
【発明の詳細な説明】
【０００１】
【発明の属する技術分野】
本発明は、受信装置および方法、送信装置に関し、特に、送信データを分割して、分割された信号の視聴の関係を示す情報を作成して送信するようにすることにより、受信装置が受信したデータは、送信装置が再度送信することなく、受信装置で処理することができるようにした受信装置および方法、送信装置に関する。
【０００２】
【従来の技術】
通常、デジタル放送において、送信者（例えば、放送局）の送信内容と、受信者（例えば、一般家庭のユーザ）の受信内容は、一致している。図１２は、送信者が野球の生中継を送信し、受信者がそれを受信する場合の送受信の内容を表した図である。
【０００３】
図１２の、野球放送は、生放送１、生放送２、生放送２の再生、生放送２のスローモーション再生、生放送３、および他球場の中継からなる、６個の視聴データ（以下、コンテンツと称する）で構成される。送信者は、生放送１のコンテンツを送信したとき、受信者は受信装置（例えば、テレビジョン受像機）で生放送１のコンテンツを受信し、視聴する。次に、生放送２のコンテンツが送信され、受信される。送信者は、生放送２のコンテンツを送信した後、生放送２のリプレイを送信する場合、再度生放送２のコンテンツを送信する。送信者は、生放送２のスローモーション映像を送信する場合、生放送２のコンテンツのビットレートを下げて、スローモーションのコンテンツを作成し、送信する。生放送３、および他球場の中継のコンテンツは、生放送１と同様であるので、説明は省略する。すなわち、送信者は、受信者が受信して視聴するコンテンツを全て作成して、送信する。
【０００４】
【発明が解決しようとする課題】
このように、従来の放送システムでは、送信者は、受信者が受信するコンテンツと同一のコンテンツを送信しており、送信する総情報量が大きくなり、デジタル通信における帯域の有効利用が図れない課題がある。
【０００５】
本発明はこのような状況に鑑みてなされたものであり、受信装置で受信したコンテンツを蓄積して、再度受信したコンテンツを使用するときは、受信装置に蓄積されているコンテンツを使用するようにし、送信装置が送信する映像データの削減を図り、もって、デジタル通信における帯域の有効利用を図るものである。
【０００６】
【課題を解決するための手段】
【０００９】
本発明の受信装置は、生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段とを有する送信装置から送信された、前記主情報および前記制御情報を受信する受信手段と、前記受信手段によって受信された前記主情報および前記制御情報を蓄積する蓄積手段と、前記蓄積手段によって蓄積された前記制御情報を読み出す読み出し手段と、前記読み出し手段によって読み出された前記制御情報から、対応するコンテンツをそのまま見せるか否かを判断する判断手段と、前記判断手段によって対応するコンテンツをそのまま見せると判断された場合には、前記読み出し手段により読み出された前記制御情報に対応する前記第１の番組のコンテンツを前記蓄積手段から読み出して出力し、対応するコンテンツをそのまま見せないと判断された場合には、前記蓄積手段から以前に蓄積された前記第１の番組のコンテンツを読み出し、前記読み出し手段により読み出された前記第２の番組のコンテンツに対応する前記制御情報に基づいて、読み出した前記第１の番組のコンテンツを加工して、前記第２の番組のコンテンツの放送時間中、出力する出力手段とを備える。
前記制御情報には、前記対応するコンテンツが放送プログラムの何番目のコンテンツであるかを表す識別情報、および、前記対応するコンテンツの描画モードを表す情報が含まれているようにすることができる。
前記蓄積手段には、前記受信手段によって受信された前記制御情報を、前回受信された制御情報に連鎖した形式で蓄積させることができる。
【００１０】
本発明の受信方法は、生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段とを有する送信装置から送信された、前記主情報および前記制御情報を受信し、受信した前記主情報および前記制御情報を蓄積手段に蓄積し、蓄積した前記制御情報を読み出し、読み出した前記制御情報から、対応するコンテンツをそのまま見せるか否かを判断し、対応するコンテンツをそのまま見せると判断した場合には、読み出した前記制御情報に対応する前記第１の番組のコンテンツを前記蓄積手段から読み出して出力し、対応するコンテンツをそのまま見せないと判断した場合には、前記蓄積手段から以前に蓄積された前記第１の番組のコンテンツを読み出し、読み出した前記第２の番組のコンテンツに対応する前記制御情報に基づいて、読み出した前記第１の番組のコンテンツを加工して、前記第２の番組のコンテンツの放送時間中、出力するステップを含む。
【００１１】
本発明の送信装置は、生放送の番組である第１の番組の視聴場面ごとのコンテンツと、前記第１の番組と関係のない第２の番組のコンテンツを含む主情報を生成するとともに、既に受信し、蓄積している前記第１の番組のコンテンツを加工して他のコンテンツを生成するために受信装置において用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報を生成する生成手段と、前記第１の番組のコンテンツと対応する前記制御情報を送信するとともに、前記主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみを送信し、前記第２の番組のコンテンツがまだ送信されていない場合には、前記第２の番組のコンテンツと対応する前記制御情報を送信する送信手段とを備え、前記主情報の一部である前記第２の番組のコンテンツがすでに送信されている場合に送信される、前記第２の番組のコンテンツに対応する前記制御情報には、既に受信し、蓄積している前記第１の番組のコンテンツを加工するのに用いられる情報が含まれており、前記受信装置においては、前記第２の番組のコンテンツの放送時間中、既に受信し、蓄積している前記第１の番組のコンテンツを前記第２の番組のコンテンツに対応する前記制御情報に基づいて加工して得られる他のコンテンツが出力される。
【００１３】
本発明の受信装置、受信方法においては、送信装置から送信された、主情報および制御情報が受信され、受信された前記主情報および前記制御情報が蓄積手段に蓄積され、蓄積された前記制御情報が読み出され、読み出された前記制御情報から、対応するコンテンツをそのまま見せるか否かが判断される。また、対応するコンテンツをそのまま見せると判断された場合には、読み出された前記制御情報に対応する第１の番組のコンテンツが前記蓄積手段から読み出されて出力され、対応するコンテンツをそのまま見せないと判断された場合には、前記蓄積手段から以前に蓄積された前記第１の番組のコンテンツが読み出され、読み出された前記第２の番組のコンテンツに対応する前記制御情報に基づいて、読み出された前記第１の番組のコンテンツが加工されて、前記第２の番組のコンテンツの放送時間中、出力される。
本発明の送信装置においては、生放送の番組である第１の番組の視聴場面ごとのコンテンツと、前記第１の番組と関係のない第２の番組のコンテンツを含む主情報が生成されるとともに、既に受信し、蓄積している前記第１の番組のコンテンツを加工して他のコンテンツを生成するために受信装置において用いられ、コンテンツの視聴されるべき時刻を指示する情報と、直前のコンテンツをそのまま、または加工して視聴させることを指示する情報を含む、複数の前記第１の番組のコンテンツと前記第２の番組のコンテンツのそれぞれに対応する制御情報が生成され、前記第１の番組のコンテンツと対応する前記制御情報が送信されるとともに、主情報の一部である前記第２の番組のコンテンツがすでに送信されている場合には、送信済みの前記第２の番組のコンテンツについては、前記第２の番組のコンテンツに対応する情報として前記生成手段により生成された前記制御情報のみが送信され、前記第２の番組のコンテンツがまだ送信されていない場合には、前記第２の番組のコンテンツと対応する前記制御情報が送信される。前記第２の番組のコンテンツの一部がすでに送信されている場合に送信される前記第２の番組のコンテンツに対応する前記制御情報には、既に受信し、蓄積している前記第１の番組のコンテンツを加工するのに用いられる情報が含まれており、前記受信装置においては、前記第２の番組のコンテンツの放送時間中、既に受信し、蓄積している前記第１の番組のコンテンツを前記第２の番組のコンテンツに対応する前記制御情報に基づいて加工して得られる他のコンテンツが出力される。
【００１４】
【発明の実施の形態】
【００１７】
図１は、本発明を適用した放送システムの構成例を表している。送信装置１内のサーバ２は、データベース３から必要な映像データを獲得し、コンテンツを生成して、放送ネットワーク４へ出力する。データベース３には、コンテンツ生成に必要な映像データが蓄積されている。放送ネットワーク４は、例えば、衛星デジタル放送、地上デジタル放送などの、多数のユーザに一斉同報が可能なネットワークである。受信装置５は、例えばテレビジョン受像機などの、デジタル放送を受信可能な受信装置である。
【００１８】
図２は、送信装置１の構成例を表している。通信制御部１１は、コンテンツ生成に必要な情報を制御用副情報生成部１２、およびデータ構成部１３に出力し、送信装置１の全体を制御する。制御用副情報生成部１２は、受信装置５の表示画面（図示せず）に実際に表示されるコンテンツ（例えば、ＭＰＥＧ２方式などでエンコードされたトランスポートストリーム信号など）が連続した送信データ（以下、主情報と称する）とは異なる、主情報を受信装置５で再構築してコンテンツを生成するために必要な（視聴の関係を規定する）情報（以下、制御用副情報と称する）を生成する。受信装置５における、制御用副情報に基づいて、コンテンツを再構築して生成する処理は、図５のフローチャートを参照して後述する。なお、制御用副情報は、主情報と同じ符号化方式（例えば、ＭＰＥＧ２方式）でも、主情報とは異なった符号化方式であってもよい。
【００１９】
データ構成部１３は、通信制御部１１からの指令に基づき、データベース３から必要な映像データを獲得し、各映像データごとに標識（以下、タグと称する）を付加し、主情報を生成する。タグとは、映像データの単位を明確にするものであり、例えば、映像データの開始実時刻などが記述される。伝送部１４は、コンテンツと、各々のコンテンツに対応した制御用副情報を、そのコンテンツが視聴される開始実時刻より先に送信する。制御用副情報は、各々のコンテンツの対応関係（例えば、放送プログラムにおけるコンテンツの放送順序）、およびそのコンテンツの使用形態（例えば、スローモーション再生）を示すものであるため、必ずコンテンツとともに送信するものではなく、例えば、再放送（既に、全てのコンテンツを送信している）の場合、制御用副情報のみが送信される。
【００２０】
次に、送信装置１の動作について、図３のフローチャートを参照して説明する。制御用副情報生成部１２は、ステップＳ１で、通信制御部１１からの指令に基づき、主情報を受信装置５で再構築して、コンテンツを生成するための制御用副情報を生成する。ステップＳ２において、データ構成部１３は、通信制御部１１からの指令に基づき、データベース３から必要な映像データを獲得し、主情報を生成する。
【００２１】
ステップＳ３において、伝送部１４は、ステップＳ１で生成された制御用副情報、およびステップＳ２で生成された主情報を放送ネットワーク４に伝送する。なお、伝送部１４は、主情報が全て受信装置５に送信されている場合（例えば、内容に変更のないニュース番組など）、ステップＳ１で生成された制御用副情報のみを送信する。
【００２２】
ステップＳ４において、通信制御部１１は、放送におけるすべての主情報、および制御用副情報を放送ネットワーク４に伝送したか否かの判定を行う。通信制御部１１が、すべての主情報、および制御用副情報を放送ネットワーク４に、まだ伝送していないと判定した場合、ステップＳ１の処理に戻り、それ以降の処理を繰り返す。通信制御部１１は、ステップＳ４で、全ての主情報、および制御用副情報を放送ネットワーク４に伝送したと判定した場合、伝送処理を終了させる。
【００２３】
図４は、受信装置５の構成例を表した図である。受信部２１は、放送ネットワーク４を介して入力された主情報、および制御用副情報を識別し、データベース２２に出力する。データベース２２は、受信部２１から入力された主情報、および制御用副情報を、別々に蓄積する。制御部２３は、データベース２２より制御用副情報を獲得し、制御用副情報に従って、読み出し部２４を制御する信号を生成する。読み出し部２４は、制御部２３からの制御信号に基づき、データベース２２から必要な映像データを獲得し、および必要に応じて加工（例えば、スローモーション加工など）を施し、コンテンツを生成する。出力部２５は、読み出し部２４で生成されたコンテンツを受信装置５の表示画面（図示せず）に出力する。
【００２４】
次に、受信装置５の受信動作について、図５のフローチャートを参照して説明する。受信部２１は、ステップＳ１１で、主情報、および制御用副情報を放送ネットワーク４から受信する。ステップＳ１２において、受信部２１は、受信したデータがコンテンツか、または制御用副情報かを判定する。受信部２１は、受信したデータがコンテンツであると判定した場合、ステップＳ１３において、コンテンツをデータベース２２にそのまま蓄積させる。受信部２１は、ステップＳ１２において、受信したデータが制御用副情報であると判定した場合、ステップＳ１４において、制御用副情報をデータベース２２に蓄積する。
【００２５】
制御部２３は、ステップＳ１４で、データベース２２に蓄積されている制御用副情報を読み出し、ステップＳ１５において、ステップＳ１４で読み出した制御用副情報から、データベース２２に蓄積されているコンテンツをそのまま視聴場面として見せるか否かを判定する。制御部２３は、ステップＳ１５で、コンテンツをそのまま見せないと判定した場合、ステップＳ１６において、ステップＳ１４で読み出した制御用副情報に従って、データベース２２にアクセスし、視聴場面で見せるコンテンツを生成する指示を、読み出し部２４に出力する。制御部２３は、コンテンツをそのまま見せると判定した場合、ステップＳ１６の処理をスキップし、ステップＳ１７の処理に移る。
【００２６】
ステップＳ１７において、読み出し部２４は、ステップＳ１５でコンテンツをそのまま見せると判定した場合の制御用副情報で指示されたコンテンツをデータベース２２から読み出し、コンテンツを更新し、ステップＳ１６でコンテンツを生成する指示を受けた場合は、制御用副情報に基づいて、データベース２２から必要な映像データを獲得し（必要に応じて、映像データを加工し）、コンテンツを更新する。ステップＳ１８において、制御部２３は、放送番組のデータの受信を全て受信したか否かを判定する。データを全て受信していないと判定した場合、ステップＳ１１の処理に戻り、それ以降の処理を繰り返す。制御部２３は、ステップＳ１８で、データを全て受信したと判定した場合、データの受信処理を終了する。
【００２７】
図６は、送信装置１が実際に送信するデータを表した図である。実際に送信されるデータは、主情報と制御用副情報である。主情報は、ＭＰＥＧ２方式等でエンコードされた映像データであり、映像データには、データ構成部１３により、それぞれタグが付加される。制御用副情報は、受信装置５での視聴場面での各コンテンツごとに配信される。
【００２８】
図７は、図６の主情報の内容を詳細に表した図である。主情報は、３個の生放送の映像データと、１個の他球場の映像データからなる。各映像データにはそれぞれタグが付加されている。なお、図示されている「データ放送」のデータは、現在放送している番組とは、直接関係のないデータ（例えば、今後放送するニュース番組のデータなど）である。
【００２９】
図８は、生放送における、実際に配信された映像データと、映像データが制御用副情報に基づいて作成されたコンテンツを含む、視聴場面を表した図である。実際に配信された映像データは、図７の場合と同様であり、ここでは説明を省略する。時刻ｔ１に配信された生放送１の映像データは、制御用副情報の指示により、そのまま時刻ｔ１’で放送される。次に、時刻ｔ２に配信された生放送２の映像データは、生放送１の映像データと同様に、時刻ｔ２’でそのまま放送される。
【００３０】
時刻ｔ３、および時刻ｔ４のコンテンツは、現在放送している生放送に関する映像データが実際に配信されず（図８では、「データ放送」と記載されている部分）、制御用副情報に基づいて、受信装置５で、時刻ｔ２で配信された生放送２の映像データから作成される。時刻ｔ３のコンテンツは、制御用副情報により、生放送２の映像データを再度再生するよう指示され、時刻ｔ４のコンテンツは、生放送２の映像データをスローモーション加工して再生するよう指示された結果を表している。つまり、受信装置５の読み出し部２４は、データベース２２に蓄積されている生放送２の映像データを、制御部２３からの指示に基づいて読み出し、そのまま再生、およびスローモーション加工して、コンテンツを作成したものである。よって、時刻ｔ３から時刻ｔ５までの間、送信装置１は、現在放送している生放送に関する映像データを配信する必要がない。また、読み出し部２４で、制御用副情報により指示されるコンテンツは、映像データに限らず、音声情報のみであってもよい。
【００３１】
時刻ｔ５の生放送３の映像データ、および時刻ｔ６の他球場の映像データに基づくコンテンツは、時刻ｔ１の生放送１の映像データと同様であるので、ここでは説明を省略する。
【００３２】
図９は、制御用副情報の配信タイミングを表した図である。制御用副情報は、視聴場面におけるコンテンツごとに１つ配信される。そして、制御用副情報は、視聴場面より、時刻的に早い段階で送信される必要がある。つまり、時刻ｔ１’で時刻ｔ１に配信された生放送１の映像データをそのまま放送するよう指示する制御用副情報は、時刻ｔ１’より早い時刻Ｔ１で配信される。時刻ｔ２’乃至時刻ｔ６’の制御用副情報の配信時刻Ｔ２乃至Ｔ６も同様である。なお、時刻Ｔ１は、時刻ｔ１’より前の時刻であれば良く、その間隔等は、特に、規定されない。
【００３３】
また、放送プログラムのコンテンツが、受信装置５で全て受信されている場合（例えば、再放送または内容に変更のないニュース番組など）、受信装置５は、時刻Ｔ１乃至Ｔ６に配信された制御用副情報に基づき、データベース２２に蓄積されているコンテンツから、番組を構築して視聴場面を生成する。
【００３４】
図１０は、制御用副情報の内容の一例を表した図である。ＩＤ（Identifer）は、放送プログラムを表す識別子であり、バージョン情報は、その放送プログラムの何番目の制御用副情報であるかを表す（例えば、図９の時刻Ｔ１の制御用副情報は野球中継における１番目の制御用副情報である）。使用コンテンツは、視聴場面に使用する映像データ（例えば、時刻ｔ３に放送する時刻ｔ２の生放送２の映像データ）を、描画モードは使用コンテンツの描画方法（例えば、スローモーション再生など）を指示する情報である。制御時刻は、使用コンテンツで指示された映像データを視聴画面で放送する時刻（例えば、図９の時刻ｔ１’）を、保持時間は、前回の制御用副情報による映像データの放送時刻と、今回の制御用副情報による映像データの放送時刻との差を示している。ただし、今回の制御用副情報による映像データの放送時刻は、記述されないこともある。すなわち、生放送のデータをそのまま放送する場合、どこまでを１つのコンテンツとするかは、事前に決定されないのが普通だからである。
【００３５】
図１１は、データベース２２における、制御用副情報の蓄積状態を表した図である。制御用副情報は、視聴場面におけるコンテンツ（受信装置５内で生成されたものを含む）ごとに、送信装置１で生成され、受信装置５に配信される。時刻Ｔ１で、時刻ｔ１’で視聴場面に使用するコンテンツの制御用副情報が受信装置５のデータベース２２に蓄積される。次に、時刻Ｔ２で、時刻ｔ２’の視聴場面で使用するコンテンツの制御用副情報を受信し、時刻Ｔ１で受信した制御用副情報に連鎖させて蓄積される。以下、各時刻で受信した制御用副情報が前回受信した制御用副情報に連鎖した形式で各々蓄積される。つまり、受信装置５は、前述した生放送、または再放送のいずれの場合においても、データベース２２に蓄積されているコンテンツから番組を構築するとき、必ず、制御用副情報の連鎖を参照しなければならない。
【００３６】
受信装置５のデータベース２２に蓄積されているコンテンツは、送信装置１から送信された制御用副情報により、再構築されるようにしたが、ユーザ（例えば、受信装置５の所有者など）が受信装置５を操作して、再構築することができるようにしてもよく、また、ユーザによるコンテンツの再構築を禁止するようにしてもよい。
【００３７】
なお、本明細書中において、上記処理を実行する処理プログラムをユーザに提供する提供媒体には、磁気ディスク、ＣＤ−ＲＯＭなどの情報記録媒体の他、インターネット、デジタル衛星などのネットワークによる伝送媒体も含まれる。
【００３８】
【発明の効果】
【００３９】
本発明の受信装置、受信方法によれば、蓄積されたコンテンツを容易に再利用することができる。
また、本発明の送信装置によれば、データ送信量を削減することが可能となり、デジタル通信の帯域を有効利用することができる。
【図面の簡単な説明】
【図１】本発明を適用した放送システムの構成例を示すブロック図である。
【図２】図１の送信装置１の構成例を示すブロック図である。
【図３】図１の送信装置１の処理を説明するフローチャートである。
【図４】図１の受信装置５の構成例を示すブロック図である。
【図５】図１の受信装置５の処理を説明するフローチャートである。
【図６】送信装置１が送信するデータの構成を説明する図である。
【図７】送信装置１が送信するデータの詳細な構成を説明する図である。
【図８】送信装置１が配信するデータと受信装置５で試聴する視聴データを説明する図である。
【図９】制御用副情報の配信タイミングを説明する図である。
【図１０】制御用副情報の内容を説明する図である。
【図１１】制御用副情報の蓄積状態を説明する図である。
【図１２】従来の送信装置が配信するデータと受信装置で試聴する視聴データを説明する図である。
【符号の説明】
１  送信装置，  ２  サーバ，  ３  データベース，  ４  放送ネットワーク，  ５  受信装置，  １１  通信制御部，  １２  制御用副情報生成部，  １３データ構成部，  １４  伝送部，  ２１  受信部，  ２２  データベース，  ２３  制御部，  ２４  読み出し部，  ２５  出力部
【図１】
0004178631.tif 000002
【図２】
0004178631.tif 000003
【図３】
0004178631.tif 000004
【図４】
0004178631.tif 000005
【図５】
0004178631.tif 000006
【図６】
0004178631.tif 000007
【図７】
0004178631.tif 000008
【図８】
0004178631.tif 000009
【図９】
0004178631.tif 000010
【図１０】
0004178631.tif 000011
【図１１】
0004178631.tif 000012
【図１２】
0004178631.tif 000013